(57)【要約】【課題】  ＤＶＤ記録再生装置などを内蔵した液晶型テレビにデジタル家電機器とのインターフェイスを行うための基板を配置するに際し、周波数干渉を防止すると共に、回路基板を収容する筐体の小型化と薄型化を可能とする液晶型テレビを提供することを目的とする。【解決手段】  ＨＤＭＩ規格に基づいてデジタル放送信号などを入力して液晶表示装置駆動用制御基板３２に出力するデジタル回路系制御基板３３と、アナログ映像音声入出力回路と電源回路とアナログ制御回路とを備えるアナログ信号系回路基板３１とをそれぞれ独立して構成し、周波数干渉の影響を受け難い液晶表示装置駆動用制御基板３２を介在して高調波で不特定な周波数を含むデジタル回路系制御基板３３と周波数干渉を受け易いアナログ信号系回路基板３１との距離を隔てて配置した。【選択図】      図１
2006042260.tif 000002
【特許請求の範囲】
【請求項１】
ＤＶＤ記録再生装置と、液晶表示装置とを筐体に収容して一体となした液晶型テレビにおいて、前記ＤＶＤ記録再生装置からのデジタル信号を入力して該ＤＶＤ記録再生装置を制御するＤＶＤ駆動用制御基板と、映像・音声信号などのデジタル信号とアナログ信号を入出力して前記液晶表示装置に表示させるための制御を行う液晶表示装置駆動用制御基板と、ＨＤＭＩ規格に基づいてデジタル放送信号などを入力して前記液晶表示装置駆動用制御基板に出力するデジタル回路系制御基板と、アナログ回路である映像音声入出力回路と電源回路とアナログ制御回路とを備えるアナログ信号系回路基板とをそれぞれ独立して構成し、これらの基板をほぼ同一平面上に配置するとともに、前記液晶表示装置駆動用制御基板を介在して前記デジタル回路系制御基板と前記アナログ信号系回路基板との距離を離して配置したことを特徴とする液晶型テレビ。
【請求項２】
前記液晶表示装置駆動用制御基板を中間位置として前記アナログ信号系回路基板とデジタル回路系制御基板を対称または対角位置に配置したことを特徴とする請求項１記載の液晶型テレビ。
【請求項３】
前記アナログ信号系回路基板とデジタル回路系制御基板は外部電子機器を接続するための複数の入出力端子を備え、これら入出力端子を同一方向に揃えて前記記筐体の下側に向けて配置したことを特徴とする請求項１又は２記載の液晶型テレビ。
【発明の詳細な説明】
【技術分野】
【０００１】
本発明は、ＤＶＤ等の記録再生装置を内蔵すると共に、ＨＤＭＩ規格に基づいてデジタル放送信号などを処理するデジタル回路系制御基板を配置した液晶型テレビに関し、前記デジタル放送信号による高調波信号などの影響を抑えることが出来る液晶型テレビ内部の基板構成と基板配置を行うことにより、デジタル信号系とアナログ信号系の周波数干渉を防止することが出来ると共に、装置の小型化及び薄型化を実現することが出来る実用性に優れた液晶型テレビの回路基板配置に関する。
【背景技術】
【０００２】
従来からＤＶＤ（Ｄｅｇｉｔａｌ  Ｖｅｒｓａｔｉｌｅ  Ｄｉｓｃ）等の記録再生装置とテレビ装置の両方を視聴することが出来る液晶型テレビに用いられる回路の構成は、大まかには液晶型テレビ用回路とＤＶＤ装置用回路で構成されており、この液晶型テレビ用回路基板は、液晶表示に関するデジタル信号を制御するデジタル制御回路と、液晶表示装置およびＤＶＤ駆動装置などを駆動するための電源回路と、音声映像信号処理などのアナログ制御回路とで構成されている。また、ＤＶＤ装置用回路はＤＶＤ記録再生装置と、駆動用制御回路基板とで構成されている。
【０００３】
また、近年におけるデジタル放送の普及により、これらデジタル放送を受信できるデジタル放送受信装置などを内蔵する若しくは外部接続して視聴できるテレビなどが注目されている。こうした中で、前記ＤＶＤ等の記録再生装置を内蔵した液晶型テレビにおいても例外でなく、外部接続端子を用いて接続することを可能とする液晶型テレビも注目されている。このようなデジタル放送の受信装置などを容易に外部接続して組み合わせ、簡単な操作で視聴を行うために近年はＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に基づいてデジタル放送信号などを入力して処理する電子部品を搭載したＨＤＭＩ回路基板と称される回路基板が多用されつつある。このＨＤＭＩ回路基板は、デジタル放送の映像と音声信号、およびデジタル放送の受信などを制御するための制御信号を合わせて伝送が出来ると共に、デジタル信号系であるＨＤＭＩ回路は１本の外部入力ケーブルに映像と音声および外部機器との双方向コントロール信号の伝送を行うことが出来る。しかし、デジタル放送の受信周波数は高調波であるため、前記ＨＤＭＩ回路には高調波のデジタル放送信号と、外部機器からの入力信号のため不特定周波数が含まれており、周波数干渉などが発生し易い回路といえる。
【０００４】
これらＤＶＤ等の記録再生装置を内蔵した液晶型テレビにおいて、前記デジタル放送などを受信する装置を外部接続して視聴するために前記ＨＤＭＩ回路基板を配置した回路基板の構成と基板配置については、従来例の図５に示すＤＶＤ記録再生装置４を内蔵した液晶型テレビ１の筐体２を背面から見た説明図によると、その内部には、図の左上方向にＤＶＤ記録再生装置４が配置され、その右方向で該筐体２の中央寄りにＤＶＤ駆動用制御基板３０が配置されている。また、図の右下側には電源処理及び映像音声信号処理等のアナログ信号系回路基板３１が配置され、前記アナログ信号系回路基板３１の左側に液晶表示装置駆動用制御基板３２が配置されており、更に、図右上側にはＨＤＭＩ回路基板３３が配置されている。前記基板配置のほか、前記ＨＤＭＩ回路基板３３の右方向に外部入出力端子５が配置されていると共に図示しない液晶表示装置が前記筐体の前面側（図では各回路基板の裏側）に配置されている。
【０００５】
前記従来例における信号の流れについて図５を参照しながら説明する。前記アナログ信号系回路基板３１は該テレビ１を構成するＤＶＤ記録再生装置４や図示しない液晶表示装置及び各回路基板などに電源を供給すると共にアナログ放送を受信した映像音声信号を処理して液晶表示装置駆動用制御基板３２に出力する。また、ＤＶＤ駆動用制御基板３０はＤＶＤ記録再生装置４を制御する信号を前記ＤＶＤ記録再生装置４に出力すると共にＤＶＤ記録再生装置４からの映像音声信号を入力して前記液晶表示装置駆動用制御基板３２に出力する。更に、前記ＨＤＭＩ回路基板３３は外部入出力端子５を介して外部接続されたデジタル放送の受信装置などを制御すると共にデジタル放送の受信装置などから入力されたデジタル信号である映像音声信号を、隣接する前記アナログ信号系回路基板３１を経由して液晶表示装置駆動用制御基板３２に出力する。これにより、液晶表示装置駆動用制御基板３２はこれら映像音声信号を処理して前記図示しない液晶表示装置に出力して映像を表示させる。
【０００６】
また、特許文献１にはＤＶＤ記録再生装置などを内蔵する液晶型テレビに関して次のように提案されている。ＤＶＤ記録再生装置を液晶表示装置の下部に該表示装置と同一筐体に配置して液晶表示画面と共に移動、回転、傾斜を可能にするスタンドを有し、液晶表示装置の背面部にＴＶ回路用基板を近接して取り付け、該液晶表示装置とＴＶ回路用基板との隙間構成、及び該液晶表示装置と後キャビネットの隙間構成を、熱気流が下から上に向かって煙突効果で抜けるようにし、ＤＶＤ一体型液晶型テレビを小スペース化する。
【０００７】
【特許文献１】特開２００１−３３２０７４号公報
【発明の開示】
【発明が解決しようとする課題】
【０００８】
前記従来例によれば、ＤＶＤ記録再生装置等を内蔵した液晶型テレビのアナログ信号系回路基板は図５の右下に配置され該テレビを構成するＤＶＤ記録再生装置と液晶表示装置の他回路基板などに電源を供給すると共にアナログ放送を受信した映像音声信号を処理して液晶表示装置駆動用制御基板に出力するが、図の右上に配置されたＨＤＭＩ回路基板には外部接続されたデジタル放送の受信装置などから入力されたデジタル信号である映像音声信号を、隣接する前記アナログ信号系回路基板を経由して液晶表示装置駆動用制御基板に出力する構成となっている。しかし前記ＨＤＭＩ回路基板から出力され、前記アナログ信号系回路基板に入力される前記デジタル放送信号の受信周波数は高調波であり、高調波のデジタル放送信号は不特定な周波数成分が多く含まれている。この高調波で不特定な周波数を多く含むＨＤＭＩ回路基板からのデジタル信号がアナログ信号系回路基板に伝送されることによりアナログ放送の映像音声信号は周波数干渉の影響を受け、液晶表示装置に表示される画像の乱れを生じ易くなるといった問題を抱えていた。
【０００９】
また、特許文献１に提案されたＤＶＤ記録再生装置などを内蔵する液晶型テレビは、ＤＶＤ記録再生装置と液晶型テレビを一つの筐体に一体化させて使用するに際し、それらの特徴を阻害しないようにレイアウトする共に、放熱量が増加する機器において効率的な放熱手段を得る方法であり、同一基板上若しくは近接する回路基板間に異なる周波数が発生することにより周波数干渉を引き起こすことを軽減する技術に関しての提案は成されていない。
【００１０】
本発明は上記課題を鑑みてなされたものであり、ＤＶＤなどの記録再生装置を内蔵する液晶型テレビにおいて、デジタル家電機器とのインターフェイスを行うための基板を配置するに際し、各制御回路構成およびその配置構成と基板配置を見直して同一基板上若しくは近接する基板間に異なる周波数が発生することにより周波数干渉を引き起こすことを軽減すると共に、回路基板を収容する筐体を小型化、薄型化を可能とすることが出来る液晶型テレビを提供することを目的とする。
【課題を解決するための手段】
【００１１】
請求項１に係る液晶型テレビは、ＤＶＤ記録再生装置と、液晶表示装置とを筐体に収容して一体となした液晶型テレビにおいて、前記ＤＶＤ記録再生装置からのデジタル信号を入力して該ＤＶＤ記録再生装置を制御するＤＶＤ駆動用制御基板と、映像・音声信号などのデジタル信号とアナログ信号を入出力して前記液晶表示装置に表示させるための制御を行う液晶表示装置駆動用制御基板と、ＨＤＭＩ規格に基づいてデジタル放送信号などを入力して前記液晶表示装置駆動用制御基板に出力するデジタル回路系制御基板と、アナログ回路である映像音声入出力回路と電源回路とアナログ制御回路とを備えるアナログ信号系回路基板とをそれぞれ独立して構成し、これらの基板をほぼ同一平面上に配置するとともに、前記液晶表示装置駆動用制御基板を介在して前記デジタル回路系制御基板と前記アナログ信号系回路基板との距離を離して配置したことを特徴とする。
【００１２】
請求項１の構成によれば、前記液晶型テレビには、高調波のデジタル放送信号などを入力して前記液晶表示装置駆動用制御基板に出力するデジタル回路系制御基板と、前記高調波信号などにより周波数干渉を受け易いアナログ回路である映像音声入出力回路と電源回路とアナログ制御回路とを備えるアナログ信号系回路基板とをそれぞれ独立して構成し、これらの基板をほぼ同一平面上に配置するとともに、前記周波数干渉を受け難い前記液晶表示装置駆動用制御基板を介在して前記デジタル回路系制御基板と前記アナログ信号系回路基板との距離を離して配置したことにより、前記デジタル回路系制御基板とアナログ信号系回路基板との距離を確実に隔てることが出来るので、同一基板上若しくは近接する回路基板間に異なる周波数の信号系である回路基板同士が周波数干渉を引き起こし、前記アナログ系信号に前記高調波の周波数が干渉することを最小限に抑えることが出来ると共に、アナログ放送を受信した映像音声信号とＤＶＤ記録再生装置から再生した映像音声信号と、デジタル放送を受信したデジタル映像音声信号などは各々隔離されながら最短距離で前記液晶表示装置駆動用制御基板と接続することが出来る。
【００１３】
本発明の請求項２の基板配置を備えた液晶型テレビは、請求項１の基板配置を備えた液晶型テレビにおいて、前記液晶表示装置駆動用制御基板を中間位置として前記アナログ信号系回路基板とデジタル回路系制御基板を対称または対角位置に配置したことを特徴とする。
【００１４】
請求項２の構成によれば、前記液晶型テレビの前記基板配置は、アナログ信号系回路基板とデジタル回路系制御基板は前記液晶表示装置駆動用制御基板を中間位置として対称または対角の位置に配置したことにより、確実にアナログ信号系回路基板とデジタル回路系制御基板との間隔を確保することが出来るので前記アナログ系信号に前記高調波の周波数が干渉することを防止することが出来る。
【００１５】
本発明の請求項３の基板配置を備えた液晶型テレビは、請求項１又は２の基板配置を備えた液晶型テレビにおいて、前記アナログ信号系回路基板とデジタル回路系制御基板は外部電子機器を接続するための複数の入出力端子を備え、これら入出力端子を同一方向に揃えて前記記筐体の下側に向けて配置したことを特徴とする。
【００１６】
請求項３の構成によれば、前記液晶型テレビは、前記入出力端子を同一方向に揃えて、且つ前記筐体の下側に向けて配置したことにより、ケーブルの重みがかかる方向が端子類の引き出し方向と同一とすることが出来るので、ケーブルの重みの負荷によりケーブル類と端子との接続箇所の破損を軽減することが出来ると共に、該液晶型テレビの見栄えを向上することが出来る。
【発明の効果】
【００１７】
請求項１に係る基板配置を備えた液晶型テレビの発明によれば、前記液晶型テレビには、各々の回路基板をそれぞれ独立して構成し、前記周波数干渉を受け難い前記液晶表示装置駆動用制御基板を介在して前記デジタル回路系制御基板と前記アナログ信号系回路基板との距離を隔てて配置したことにより、同一基板上若しくは近接する回路基板間に異なる周波数の信号系である回路基板同士が周波数干渉を引き起こし、アナログ放送の映像音声信号が前記高調波による周波数干渉の影響を受け、液晶表示装置に表示される画像の乱れを生じ易くなるといった問題も最小限に抑えることが出来ると共に、アナログ放送を受信した映像音声信号とＤＶＤ記録再生装置から再生した映像音声信号と、デジタル放送を受信したデジタル映像音声信号などは各々隔離されながら最短距離で前記液晶表示装置駆動用制御基板と接続することが出来るので、各々の回路基板を接続する配線ケーブルの配線設計も行いやすく配線を簡素化することが出来ることから、配線を途中で折り曲げることにより高さ方向に突き出すこともなく、筐体の薄型化が可能であると共に該液晶型テレビ筐体内における空きスペースを確保することが出来るので、該空きスペース分に相当する筐体の容積を減らすことが出来る。
【００１８】
請求項２に係る基板配置を備えた液晶型テレビの発明によれば、アナログ信号系回路基板とデジタル回路系制御基板は前記液晶表示装置駆動用制御基板を中間位置として対称または対角の位置に配置したことにより、確実にアナログ信号系回路基板とデジタル回路系制御基板との間隔を確保することが出来るので、前記周波数干渉によりアナログ放送の映像音声信号が前記高調波による周波数干渉の影響を受け、液晶表示装置に表示される画像の乱れを生じ易くなるといった問題も防止することが出来る。
【００１９】
請求項３に係る基板配置を備えた液晶型テレビの発明によれば、前記液晶型テレビは、前記入出力端子を同一方向に揃えて、且つ前記筐体の下側に向けて配置したことにより、端子類に対してケーブルの重みがかかる方向を下方向に統一することが出来るので、ケーブルの重みによる端子の負荷を減らすことが出来、ケーブル類と端子との接続箇所の破損を軽減すると共に係合する端子類の接触導通の不安定などを緩和することが出来る。また、ケーブルの引き出しが乱雑になることを防止するため、該液晶型テレビの見栄えを向上することが出来るので壁掛け型の液晶型テレビとしても適し、該液晶型テレビが設置される部屋の景観を向上することが出来る。
【発明を実施するための最良の形態】
【００２０】
以下、本発明を実施するための最良の形態としての実施例を図１から図４により以下に説明する。もちろん、本発明は、その発明の趣旨に反さない範囲で、実施例において説明した以外のものに対しても容易に適用可能なことは説明を要するまでもない。
【００２１】
図１は本発明における液晶型テレビ筐体背面側から見た回路基板の配置を示す第一実施例の説明図であり、図２は本発明における液晶型テレビ筐体に基板配置された回路基板に信号が伝送される流れを示す説明図である。図３は本発明の第二実施例における液晶型テレビ筐体背面側から見た回路基板の配置を示す説明図である。また、図４は第一実施例における液晶型テレビ筐体の下部に配置された外部入出力端子類の配置を示す背面説明図である。まず図１及び図３、図４により液晶型テレビの筐体内部に配置された各種回路基板などと、外部入出力端子類の配置などについて以下に説明する。
【００２２】
本実施例におけるＤＶＤ等の記録再生装置４を内蔵した液晶型テレビ１の筐体２内部には、図４のように図の左上方向にＤＶＤ記録再生装置４が配置され光ディスク７が装填されようとしている。この液晶型テレビ１の筐体２内部における基板配置を図１により説明する。前記左上方向に配置されたＤＶＤ記録再生装置４の右方向で該テレビ１の筐体２の中央寄りにＤＶＤ駆動用制御基板３０が配置されている。また、図の右下側には電源処理及び映像音声信号処理等のアナログ信号系回路基板３１が配置され、該アナログ信号系回路基板３１の下側には図示しないイヤホンや、図４に示すビデオ機器など外部に配置された電子機器９と接続するため各種の外部入出力端子５などが下方に向けて配置されている。続いて前記アナログ信号系回路基板３１の左側に液晶表示装置駆動用制御基板３２が配置されており、図示しない液晶表示装置が前記筐体２の前面側（図では各回路基板の裏側）に配置され、液晶表示装置駆動用制御基板３２と接続されている。また、前記液晶表示装置駆動用制御基板３２の左隣で図の左下側にはデジタル回路系制御基板であるＨＤＭＩ回路基板３３が配置されており、このＨＤＭＩ回路基板３３は図４に示すデジタル放送などを受信するデジタル家電機器などの電子機器９を外部接続して視聴するために、前記ＨＤＭＩ回路基板３３の下側には外部入出力端子５が下方に向けて配置されている。以上のように本実施例においては液晶表示装置駆動用制御基板３２を中心として図の右側にアナログ信号系回路基板３１を、左側にはＨＤＭＩ回路基板３３が距離を隔てて配置されており、前記液晶表示装置駆動用制御基板３２に対して各々対称となるように配置されている。
【００２３】
また、図３には図１とは異なる基板配置の実施例として、アナログ信号系回路基板３１とＨＤＭＩ回路基板３３は前記液晶表示装置駆動用制御基板３２を中間位置として左側にＨＤＭＩ回路基板３３を右上側にアナログ信号系回路基板３１を配置した対角の位置に基板配置している。
【００２４】
続いて、図１を参照しながら前記液晶型テレビ１の筐体２内に配置された各々の回路基板の配線状態について説明する。図の右下に位置する電源処理及び映像音声信号処理等を行うアナログ信号系回路基板３１は各回路基板とＤＶＤ記録再生装置４などに電源または映像音声信号を供給しており、アナログ信号系回路基板３１からＤＶＤ駆動用制御基板３０を経てＤＶＤ記録再生装置４へと供給されている。また一方、アナログ信号系回路基板３１から液晶表示装置駆動用制御基板３２を経てＨＤＭＩ回路基板３３と図示しない液晶表示装置に電源または映像音声信号が供給されている。さらに付け加えれば、アナログ信号系回路基板３１からは図４に示す外部に配置されて接続される電子機器９などに映像音声信号を供給または入力するための接続端子５が前記アナログ信号系回路基板３１の下側に下方向に配置されている。
【００２５】
次に図２は本発明における液晶型テレビ筐体に基板配置された回路基板に信号が伝送される流れを示す説明図である。
【００２６】
図２の右下側に配置されたアナログ信号系回路基板３１には、電源を入力して各々の回路基板やＤＶＤ駆動用制御基板３０などに電源を供給する電源回路のほか、アナログ放送を受信した受信信号を処理するチューナを備え、該受信した映像音声信号をＤＶＤ駆動用制御基板３０に出力してＤＶＤ記録再生装置４に記録可能とすると共に、前記受信した映像音声信号と、ＤＶＤ記録再生装置４により再生された映像音声信号など該テレビ１の内部回路基板からの映像音声信号と、図示しない外部に配置された電子機器９から入力した映像音声信号とを処理する信号処理手段が備えられ、前記アナログ信号系回路基板３１から出力された映像音声信号と、ＤＶＤ記録再生装置４により再生されＤＶＤ駆動用制御基板３０で処理された映像音声信号と、デジタル放送などを受信するデジタル家電機器（図示略）から外部入出力端子５を介してＨＤＭＩ回路基板３３に入力された映像音声信号とを前記液晶表示装置駆動用制御基板３２が処理して前記図示しない液晶表示装置に出力して映像を表示させる。
【００２７】
以上のように本実施例によれば、本発明の液晶型テレビ１には、外部に配置されたデジタル家電機器９などから入力することにより高調波で不特定の周波数帯が含まれるデジタル信号系のＨＤＭＩ回路基板３３と、アナログ信号系である映像音声入出力回路ならびに電源回路及びアナログ制御回路を備えるアナログ信号系回路基板３１との距離を離して基板配置したことにより、高調波で不特定な周波数を多く含むＨＤＭＩ回路基板３３からのデジタル信号がアナログ信号系回路基板３１に伝送されることによりアナログ放送の映像音声信号は周波数干渉の影響を受け、図示しない液晶表示装置に表示される画像の乱れを生じ易くなるといった問題も軽減することが出来る。
【００２８】
また、前記液晶表示装置駆動用制御基板３２を中心に前記ＤＶＤ駆動用制御基板３０と、ＨＤＭＩ回路基板３３と、アナログ信号系回路基板３１とを基板配置したことにより、アナログ放送を受信した映像音声信号とＤＶＤ記録再生装置４から再生した映像音声信号と、外部に配置されたデジタル家電機器９がデジタル放送を受信したデジタル映像音声信号などは各々隔離されながら最短距離で前記液晶表示装置駆動用制御基板３２と接続することが出来るので、相互に異なる周波数帯の信号系である回路基板同士が周波数干渉を引き起こすことを最小限に抑えることが出来る。更に各々の回路基板を接続する配線ケーブルの配線設計も行いやすく、配線を簡素化することが出来ることから配線は途中で折り曲げることにより高さ方向に突き出すことも無く、筐体２の薄型化が可能であると共に該液晶型テレビ１筐体２内における空きスペースを確保することが出来るので、該空きスペース分に相当する筐体の容積を減らすことが出来る。
【００２９】
更に、前記液晶型テレビ１の前記基板配置は、図１及び図３のようにアナログ信号系回路基板３１とＨＤＭＩ回路基板３３は前記液晶表示装置駆動用制御基板３２を中間位置として対称または対角の位置に基板配置したことにより、確実にアナログ信号系回路基板とＨＤＭＩ回路基板３３との間隔を確保することが出来るので前記回路基板同士が周波数干渉を引き起こすことを最小限に抑えることが出来る。
【００３０】
つづいて、前記該液晶型テレビ１と外部に配置される電子機器９とを結線するための入出力端子類５の配置箇所は前記筐体２の特定一方向とし、且つその方向は筐体２の下側としたことにより、ケーブルの重みがかかる方向を端子５類の引き出し方向である下方向に統一することが出来るので、ケーブルの重みによる端子５の負荷が減るので、ケーブル類と端子５との接続箇所の破損を軽減すると共に係合する端子５類の接触導通の不安定などを緩和することが出来る。更に景観及び見栄えを向上することが出来るので、該液晶型テレビ１を壁掛けタイプとして使用することが出来る。
【００３１】
以上、本実施例を詳述したが、本発明は、前記実施例に限定されるものではなく、本発明の要旨の範囲内で種々の変形実施が可能である。例えば、ＤＶＤ記録再生装置４が配置される場所は背面側から見て左上側に限定されるものではなく左右を逆に配置するなどに変更が可能であり、又、個々の回路基板の分類もアナログ系信号やデジタル系信号、特に高調波や不特定な周波数を含むデジタル信号系などに分類されればよく回路設計の都合によりこれらを組み合わせて本発明による周波数干渉の影響を削減することは容易に実現可能であり、可能な範囲で使い易さを配慮して変更するなど前記実施例に限定されるものではなく、適宜選定すればよい。
【図面の簡単な説明】
【００３２】
【図１】本発明の第一実施例を示す液晶型テレビ筐体内部を背面側から見た回路基板の配置を示す説明図である。
【図２】本発明の第一実施例を示す液晶型テレビ筐体内部を背面側から見た回路基板に信号が伝送される流れを示す説明図である。
【図３】本発明の第二実施例を示す液晶型テレビ筐体内部を背面側から見た回路基板の配置と信号伝送の流れを示す説明図である。
【図４】本発明の一実施例を示す液晶型テレビ筐体の下部に配置された外部入出力端子類と外部に配置された電子機器とをケーブル類で接続した状態を示す説明図である。
【図５】従来の液晶型テレビ筐体に基板配置された回路基板に信号が伝送される流れを示す説明図である。
【符号の説明】
【００３３】
１        液晶型テレビ
２        筐体
４        ＤＶＤ記録再生装置
５        外部入出力端子
６        配線ケーブル
７        光ディスク
９        電子機器（デジタル家電機器）
３０      ＤＶＤ駆動用制御基板
３１      電源処理及び映像音声信号処理などのアナログ信号系回路基板
３２      液晶表示装置駆動用制御基板
３３      デジタル回路系制御基板（ＨＤＭＩ回路基板）
【図１】
2006042260.tif 000003
【図２】
2006042260.tif 000004
【図３】
2006042260.tif 000005
【図４】
2006042260.tif 000006
【図５】
2006042260.tif 000007